(57)【要約】【課題】どのようなファイルに用いても、容易に書類を綴じたり外したりすることができる綴じ具を得る。【解決手段】綴じ具１０は、ベース１２と綴じ片２４とがヒンジ部２６で連結された構成を有する。ヒンジ部２６の近傍に開口部２８を形成し、ベース１２に対して綴じ片２４を直立させたとき、開口部２８と綴じ片２４の中空部３２とが連通するようにする。このとき、ベース１２の凸部３０と中間部２２との間の凹部３０ａに、綴じ片２４の凸部３４を嵌め込むことにより、綴じ片２４が直立した状態を保持する。【選択図】      図２
2005022349.tif 000002
【特許請求の範囲】
【請求項１】
開口部が形成されたベース、および
前記ベース上において一端側を中心として回動可能に取り付けられる中空状の綴じ片を含み、
前記綴じ片が前記ベースに対して直立したときに、前記綴じ片の中空部と前記ベースの開口部とが連通するようにした、綴じ具。
【請求項２】
前記綴じ片が前記ベースに対して直立したときに、前記綴じ片の中空部と前記ベースの開口部との連通部に他の隙間が形成されないようにした、請求項１に記載の綴じ具。
【請求項３】
前記綴じ片が前記ベースに対して直立した状態を保持するためのストッパが形成された、請求項１または請求項２に記載の綴じ具。
【請求項４】
前記綴じ片を前記ベースに対して倒したときに、前記綴じ片の中空部と前記ベースの開口部との連通部に他の隙間が形成されないようにした、請求項１に記載の綴じ具。
【発明の詳細な説明】
【０００１】
【発明の属する技術分野】
この発明は、綴じ具に関し、特に、たとえば綴じ穴が形成された書類などをファイルに綴じるために用いられる綴じ具に関する。
【０００２】
【従来の技術】
ファイルに書類などを綴じるために、たとえば図５５及び５６に示すような綴じ具１が用いられる。綴じ具１は、長手方向を有する綴じ具本体２を含む。綴じ具本体２の長手方向の両側には、操作片３が取り付けられる。操作片３は、綴じ具本体２の長手方向に対して直立する位置と、綴じ具本体２の長手方向に沿った位置との間で、回動可能に取り付けられる。操作片３の近傍において、綴じ具本体２には開口部４が形成される。
【０００３】
綴じ具１は、ファイル５に書類などを綴じるために用いられる。ファイル５は表紙６ａを含み、その中央部に形成された折り畳み部６ｂには、綴じ具１の２つの開口部４に対応した間隔で、綴じ足７が取り付けられる。この綴じ足７が、書類に形成された綴じ穴に挿通される。そして、書類の上に、綴じ具１が載置される。このとき、綴じ具本体２の開口部４に、綴じ足７が挿通される。そして、操作片３を綴じ具本体２の長手方向に沿うように倒すことにより、綴じ足７が綴じ具本体２の長手方向に倒れた状態で、綴じ具本体２と操作片３との間に挟まれる。この状態で、操作片３が綴じ具本体２に固定され、書類がファイル５に綴じられる。
【０００４】
このような綴じ具１において、操作片３が倒れた状態で固定されたとき、綴じ具本体２に対して直立する向きに力が働くような構造とすることが考えられている。このような綴じ具１では、操作片３が倒れた状態で固定されていないとき、常に綴じ具本体に対して起き上がるように力が働く。そのため、綴じ片３が起き上がって、開口部４が露出した状態が保たれる。したがって、開口部４が露出するように綴じ片３を指で支える必要がなく、綴じ足７を開口部４に挿通したり外したりする作業を容易に行うことができる（例えば、特許文献１参照）
【０００５】
このような綴じ具１は、書類の綴じ量を調整することができるファイル５にも用いることができる。このファイル５では、図５５及び５６に示すように、表紙６ａに袋状に形成された被覆用表紙８ａが被せられる。この被覆用表紙８ａには、折り畳み部６ｂに対応して、鍔状部８ｂが形成される。この鍔状部８ｂには、２つの綴じ足７に対応した間隔で、貫通孔が形成される。
【０００６】
このファイル５では、表紙６ａが袋状の被覆用表紙８ａに嵌め込まれているため、表紙６ａに対して被覆用表紙８ａをスライドさせることにより、折り畳み部６ｂと鍔状部８ｂの間隔を調整することができる。これらの折り畳み部６ｂと鍔状部８ｂとの間に、書類が挟み込まれ、綴じ足７が書類の綴じ穴および鍔状部８ｂの貫通孔に挿通される。書類の反対側には、鍔状部８ｂに綴じ具１０が取り付けられる。そして、綴じ具１の開口部４に綴じ足７を挿通し、操作片３を倒すことにより、書類をファイル５に綴じることができる。このように、表紙６ａの折り畳み部６ｂと被覆用表紙８ａの鍔状部８ｂとの間隔を調整することにより、これらの間に挟まれる書類の綴じ量を調整することができる。
【０００７】
【特許文献１】
特開２００３−１１５６５号公報
【０００８】
【発明が解決しようとする課題】
このように、この綴じ具１では、操作片３が起きた状態を保つことができ、書類を綴じたり外したりすることが容易であるが、綴じ足７が綴じ具本体２の長手方向に沿うように曲がった状態のままである場合、綴じ具１が綴じ足７に引っ掛かって取り外しにくい。
【０００９】
また、書類の綴じ量を調整できるファイル５では、表紙６ａに対して被覆用表紙８ａをスライドさせるときに、図５５及び５６に示すように、鍔状部８ｂが倒れやすく、この場合、綴じ足７が綴じ具１に対して斜めになる。そのため、綴じ足７が綴じ具１の開口部４に斜めに入った状態となり、綴じ足７が綴じ具１に引っ掛かった状態となって、表紙６ａに対して被覆用表紙８ａをスライドさせることができなくなる。したがって、表紙６ａに対して被覆用表紙８ａをスライドさせようとすれば、鍔状部８ｂを綴じ足７に対して直交する状態で持ち、被覆用表紙８ａをスライドさせる必要があり、取り扱いが煩雑となる。
【００１０】
それゆえに、この発明の主たる目的は、どのようなファイルに用いても、容易に書類を綴じたり外したりすることができる綴じ具を提供することである。
【００１１】
【課題を解決するための手段】
この発明は、開口部が形成されたベースと、ベース上において一端側を中心として回動可能に取り付けられる中空状の綴じ片とを含み、綴じ片がベースに対して直立したときに、綴じ片の中空部とベースの開口部とが連通するようにした、綴じ具である。
このような綴じ具において、綴じ片がベースに対して直立したときに、綴じ片の中空部とベースの開口部との連通部に他の隙間が形成されないようにすることが好ましい。
また、綴じ片がベースに対して直立した状態を保持するためのストッパを形成することが好ましい。
また、綴じ片を前記ベースに対して倒したときに、前記綴じ片の中空部と前記ベースの開口部との連通部に他の隙間が形成されないようにすることが好ましい。
【００１２】
綴じ片の中空部とベースの開口部とが連通した状態で、開口部から綴じ片に向かって、ファイルに取り付けられた綴じ足が挿通される。そして、綴じ片を回動させて倒すことにより、綴じ足が綴じ片の中空部に挿通された状態で折り曲げられる。それにより、綴じ足がベースの開口部から外れることが防止される。また、綴じ片がベースに対して直立する位置に配置されたとき、綴じ足は連通した開口部と綴じ片の中空部とを通っているため、綴じ足が綴じ片の内部で直線状に配置される。したがって、綴じ片がベースに対して起き上がったとき、綴じ足が綴じ具に引っ掛かりにくい構造となっている。
このような綴じ具において、ベースに対して綴じ片が直立しているとき、綴じ片の中空部とベースの開口部との連通部に他の隙間が形成されないようにすることにより、綴じ足を挿通するときに、確実に連通した中空部と開口部に導き入れることができる。
また、ベースに対して綴じ片が直立した状態で固定するためのストッパを形成することにより、綴じ足の抜き差しを容易に行うことができ、書類を綴じたり外したりすることが簡単になる。
また、綴じ片を前記ベースに対して倒したときに、前記綴じ片の中空部と前記ベースの開口部との連通部に他の隙間が形成されないようにすることにより、綴じ片が倒れた状態においては、綴じ足を開口部より挿入したとき、突き当たり、更に綴じ足を挿通することができないことを使用者に理解させる。
【００１３】
この発明の上述の目的，その他の目的，特徴および利点は、図面を参照して行う以下の実施の形態の詳細な説明から一層明らかとなろう。
【００１４】
【発明の実施の形態】
図１は、この発明の綴じ具の一例を示す平面図である。また、図２は図１の断面図であり、図３は図１に示す綴じ具を反対側からみた平面図である。綴じ具１０は、長手方向を有する長尺帯状の比較的柔軟性を有する合成樹脂製ベース１２を含む。ベース１２の一方面側（表面側）は平面状に形成され、他方面側（裏面側）にはベース１２の長手方向に沿って凹部１４が形成される（図９参照）。
凹部１４の長手方向の両側には、平面円形の貫通孔１６が形成される。一方の貫通孔１６と他方の貫通孔１６は、用箋等の被綴じ物Ａの綴じ穴の間隔に対応した間隔をおいて、ベース１２の一方面側から一段低くなった円形の段差部１８の中央部に形成される。
さらに、前記段差部１８の内側（後記開口部２８より内側）であってベース１２の幅方向の両側には、４つの係止部２０が突出するように形成される（図９及び図１０参照）。
【００１５】
前記係止部２０の外側（段差部１８の外側）であってベース１２の長手方向の両側には、中間部２２を介して、綴じ片２４が形成される。中間部２２は、ベース１２と略同一の幅であって、ベース１２の一方面（表面）から一段下がって形成され、さらに、中間部２２の外側には、中間部２２の下面側に続いて綴じ片２４の下壁部２４ｂとの間に縦断面Ｖ字状に凹んで折り曲げ可能な薄肉状のヒンジ部２６が形成される（図８及び図１０参照）。ヒンジ部２６は、綴じ片２４の下壁部２４ｂとベース１２と中間部２２と一体的に連結され、ベース１２及び中間部２２と略同一の幅に形成されている。
【００１６】
さらに、中間部２２の段差部分の一部およびヒンジ部２６に向かう傾斜部分の一部に、表面側から裏面側に亘って穿設された開口部２８が形成される（図１０参照）。
また、段差部１８の外側（後記開口部２８より内側）であってベース１２の長手方向の両端側において、中間部２２とは一定の間隔をあけてベース１２の長手方向において外側に向かって突出する凸部３０が形成される（図１０参照）。
凸部３０は、ベース１２と略同一の幅であって、ベース１２の幅方向に全域に亘って形成され、中間部２２の上部において綴じ片２４に向かって突出し、その先端が断面円弧状に形成されている。
【００１７】
綴じ片２４は、中空状、この実施の形態においては長手方向に中空部３２が穿設された筒状（角筒状）に形成される（図７参照）。中空部３２は、綴じ片２４をヒンジ部２６で折り曲げて起こしたとき、開口部２８に連通するように形成される。
綴じ片２４の一方面側（表面側）において、ヒンジ部２６に近い端部に、凸部３４が形成される。この凸部３４は、綴じ片２４のヒンジ部２６側端縁において綴じ片２４と同一の幅であって、綴じ片２４の幅方向に全域に亘って形成され、綴じ片２４の表面とは直角に交差する方向に向けて突出されている。そして、ヒンジ部２６で折り曲げて綴じ片２４をベース１２側に起こしたとき、ベース１２から突出する凸部３０と中間部２２との間に形成される凹部３０ａに嵌り込むように形成される。
【００１８】
綴じ片２４の先端側は、２叉状に形成され、その中央には、切込部３６が形成される（図５参照）。
切込部３６は、綴じ片２４の先端側から内側に向かって徐々に幅が狭くなるように形成され、ある程度幅が狭くなったところで同一幅となるように形成され、同一幅の切込部３６ａは、後記する保持具５０の凹凸部６０が嵌挿する部位である（図３参照）。
切込部３６が形成された部分の先端側において、綴じ片２４の幅が大きくなるように左右一対の幅広部３８が形成され、指で持ちやすくなっており、一対の幅広部３８は切込部３６側に向けて湾曲させることができるように形成されている。
幅広部３８は、綴じ片２４のベース１２側より幅広く形成されているために、長手方向における後端側、すなわち、ベース１２側に段差部３８ａが形成されている。
また、幅広部３８の内側の近傍において、綴じ片２４の幅方向の両側に突出する係止部４０が形成される（図６参照）。
【００１９】
この綴じ具１０は、ベース１２と段差部１８と係止部２０と中間部２２と綴じ片２４とヒンジ部２６とが軟質合成樹脂で一体形成されている。
【００２０】
綴じ具１０は、図１１、図１２および図１３に示すような、長尺帯状の保持具５０に保持される。保持具５０は、長手方向を有する平面部５２と、平面部５２の幅方向の両側に突出形成される側面部５４とを含む。これらの一方の側面部５４と他方の側面部５４との間に、綴じ具１０が嵌め込まれて保持される。保持具５０は、綴じ具１０の両端部に形成された幅広部３８の間を保持する長さに形成され、幅広部３８の段差部３８ａが保持具５０の両端部に位置するように形成される。
【００２１】
保持具５０の平面部５２には、綴じ具１０の貫通孔１６に対応する位置に、貫通孔５６が形成される（図１６（Ａ）参照）。また、綴じ具１０の開口部２８に対応する位置に、開口部５８が形成される（図１５（Ｂ）参照）。
さらに、平面部５２には、２つの開口部５８の両側であって開口部５８より外側に、鋸刃状の凹凸部６０が形成される。
また、綴じ具１０の係止部２０に対応する位置において、保持具５０の側面部５４であって開口部５８より内側（貫通孔５６より内側）において、係止部２０を嵌め込むための凹部６２が形成される（図１６（Ｂ）参照）。この凹部６２に係止部２０を嵌め込むことにより、綴じ具１０が保持具５０に固定される（図１７参照）。
また、綴じ具１０の係止部４０に対応する位置において、保持具５０の側面部５４であって貫通孔５６より外側において、係止部４０を嵌め込むための凹部６４が形成される（図１５（Ａ）参照）。この凹部６４に係止部４０を嵌め込むことにより、綴じ片２４を倒した状態で保持することができる（図１７参照）。
【００２２】
この保持具１０は、たとえば、書類等の被綴じ物Ａの綴じ量を調整することができるファイルに取り付けられる。ファイル７０は、図１９及び図２０に示すように、表紙７２と、被覆用表紙７４とを含む。表紙７２および被覆用表紙７４は、たとえば厚紙や合成樹脂などで形成されたシート材などを用いて形成される。表紙７２は、シート材を折り曲げて形成される。そして、表紙７２は、２つの平面部７２ａ，７２ｂを含み、その略中央部において平面部７２ａ，７２ｂの面上に突出する折り畳み部７２ｃが形成される。
【００２３】
また、被覆用表紙７４は、シート材を袋状にすることにより形成される。袋状の被覆用表紙７４の開口端部には、被覆用表紙７４の面に対して突出する鍔状部７４ａが形成される。この被覆用表紙７４には、表紙７２の一方の平面部７２ａが挿入される。このとき、鍔状部７４ａが表紙７２の折り畳み部７２ｃと同じ向きで対向するように配置される。したがって、表紙７２に対して被覆用表紙７４を、表紙７２及び被覆用表紙７４の幅方向にスライドさせることにより、鍔状部７４ａと折り畳み部７２ｃとの間の間隔を調整することができる。
【００２４】
表紙７２の折り畳み部７２ｃには、被綴じ物Ａの綴じ穴に対応する間隔をおいて、２本の綴じ足７６が形成され、２本の綴じ足７６は鍔状部７４ａに向かって延びるように取り付けられる。
綴じ足７６は、たとえば１本の柔軟性を有する合成樹脂製帯状物の両端側を、被綴じ物Ａの綴じ穴に対応する間隔をおいて折り畳み部７２ｃに形成された孔に通すことにより形成される。これらの綴じ足７６には、外面側にたとえば鋸刃状の凹凸部７６ａが形成される（図２０参照）。
【００２５】
また、被覆用表紙７４の鍔状部７４ａには、綴じ具１０と保持具５０とが取り付けられる。この場合、鍔状部７４ａ上に保持具５０が配置され、さらに保持具５０に綴じ具１０が嵌め込まれる。このとき、綴じ具１０の係止部２０が保持具５０の凹部６２に嵌り込んで、綴じ具１０が保持具５０に保持される。
そして、綴じ具１０の貫通孔１６と保持具５０の貫通孔５６及び鍔状部７４ａの貫通孔７４ｃにリベットが通され、鍔状部７４ａに固定される。このとき、綴じ具１０の開口部２８と保持具５０の開口部５８とが連通するように配置される。
さらに、鍔状部７４ａには、開口部２８及び開口部５８に連通するようにして貫通孔７４ｂが形成される。なお、綴じ片２４が倒れた状態においては、綴じ片２４の係止部４０が保持具５０の凹部６４に嵌り込んで固定される。
【００２６】
このファィル７０に書類を綴じるには、綴じ穴が形成された書類等の被綴じ物Ａが、表紙７２の折り畳み部７２ｃと被覆用表紙７４の鍔状部７４ａとの間に挟み込まれる。そして、折り畳み部７２ｃから延びる綴じ足７６が、被綴じ物Ａの綴じ穴に挿通される。さらに、この綴じ足７６は、鍔状部７４ａの貫通孔７４ｂから保持具５０の開口部５８および綴じ具１０の開口部２８を通して、綴じ片２４の中空部３２に挿通される。このとき、綴じ片２４は、ベース１２に対して直交する状態、つまりベース１２に対して起きた状態になっている。
【００２７】
綴じ片２４が起きた状態のとき、図２０に示すように、綴じ片２４に形成された凸部３４が、ベース１２の端部に形成された凸部３０と中間部２２との間に形成される凹部３０ａに嵌り込む。これらの凸部３０，３４などによってストッパが形成され、綴じ片２４が起きた状態が保たれる。このとき、綴じ片２４の中空部３２は、開口部２８，５８に連通し、その他の隙間は形成されない。そのため、綴じ足７６を確実に綴じ片２４の中空部３２に通すことができる。さらに、綴じ片２４が起きた状態で保持されるため、綴じ足７６の挿通を容易に行うことができる。
【００２８】
この状態で、綴じ片２４を倒し、係止部４０が保持具５０の凹部６４に嵌め込まれる。それによって、綴じ足７６の凹凸部７６ａが、保持具５０の凹凸部６０（綴じ具１０の同一幅の切込部３６ａに嵌挿されている）に嵌り込んで、綴じ足７６の引き抜きが防止される。このようにして、被綴じ物Ａは綴じ込まれ、ファイル７０に保持される。
【００２９】
逆に、綴じた被綴じ物Ａを外したり、さらに被綴じ物Ａを追加するときには、綴じ片２４の幅広部３８を両側から手の指で挟むことにより、係止部４０を保持具５０の凹部６４から外して、綴じ片２４が起こされる。そして、表紙７２に対して被覆用表紙７４をスライドさせて引き抜くことにより、折り畳み部７２ｃと鍔状部７４ａとが離れて、綴じ足７６が綴じ片２４から引き抜かれる。
【００３０】
このとき、綴じ足７６は角筒状の綴じ片２４で摺動自在に覆われているため、綴じ足７６がベース１２に対して直交した状態が保持され、綴じ足７６が綴じ具１０に引っ掛かったりしない。そのため、綴じ足７６をスムーズに綴じ片２４から引き抜くことができる。また、表紙７２に対して被覆用表紙７４をスライドさせても、鍔状部７４ａが斜めに倒れたりせず、スムーズにスライドさせることができる。
【００３１】
前記した綴じ具１０は、図２１ないし３９に示すように変形してもよい。
図２１は、この発明の綴じ具の一例を示す平面図である。また、図２２は図２１の断面図であり、図２３は図２１に示す綴じ具を反対側からみた平面図である。図２４は図２１に示す綴じ具の側面図である。図２５は図２１に示す綴じ具のＮ−Ｎ断面図である。図２６は図２１に示す綴じ具を保持するための保持具の一例を示す平面図である。図２７は図２６に示す保持具のＲ−Ｒ断面図である。図２８は図２６に示す保持具を反対側からみた平面図である。図２９は図２６に示す保持具の側面図である。
この綴じ具１００は、前記図１図示例と略同様の構成であるが、保持具１５０をファイル７０に固定するための構造が異なる。
すなわち、前記保持具５０に形成された貫通孔５６に代えて、この保持具１５０は、その平面部５２の裏面側に、弾力性を有する固定部１１６が凸設されている。
固定部１１６は、凹凸部６０が形成された位置の裏面側より突出された基部１１６ａと、該基部１１６ａよりベース１２の裏面に突出された平面長方形状の押圧部１１６ｂと、押圧部１１６ｂの先端において弾発力を増しファイル７０に係止されるように形成された凸部１１６ｃとが形成された略Ｌ字形である（図２９及び図３０参照）。
固定部１１６は、保持具１５０の平面部５２の裏面との間にファイル７０の表紙７２の厚みに相当する間隔を形成するための基部１１６ａにおいて固定されている。
そして、ファイル７０の表紙７２に穿設された孔１７４ｃに固定部１１６を嵌挿し、保持具１５０の平面部５２と固定部１１６との間に挟持させて、保持具１５０を固定する（図３９参照）。
【００３２】
また、この綴じ具１００は、保持具１５０に貫通孔５６が形成されていないことに対応し、前記綴じ具１０においてベース１２に形成されていた貫通孔１６及び段差部１８は形成されていないが、それ以外の構成は、既に前記した図１図示例とほぼ同様の構成である。
【００３３】
すなわち、次のように構成されている。
この綴じ具１００は、長手方向を有する長尺帯状の比較的柔軟性を有する合成樹脂製ベース１２を含む。ベース１２の一方面側（表面側）は平面状に形成され、他方面側（裏面側）にはベース１２の長手方向に沿って凹部１４が形成される。
さらに、後記開口部２８より内側であってベース１２の幅方向の両側には、４つの係止部２０が突出するように形成される。
【００３４】
前記係止部２０の外側であってベース１２の長手方向の両側には、中間部２２を介して、綴じ片２４が形成される。中間部２２は、ベース１２と略同一の幅であって、ベース１２の一方面（表面）から一段下がって形成され、さらに、中間部２２の外側には、中間部２２の下側面に続いて綴じ片２４の下壁部２４ｂとの間に縦断面Ｖ字状に凹んで折り曲げ可能な薄肉状のヒンジ部２６が形成される。ヒンジ部２６は、綴じ片２４の下壁部２４ｂとベース１２と中間部２２とは一体的に連結され、ベース１２及び中間部２２と略同一の幅に形成されている。
【００３５】
さらに、中間部２２の段差部分の一部およびヒンジ部２６に向かう傾斜部分の一部に、表面側から裏面側に亘って穿設された開口部２８が形成される。
また、後記開口部２８より内側であってベース１２の長手方向の両端側において、中間部２２とは一定の間隔をあけてベース１２の長手方向において外側に向かって突出する凸部３０が形成される。
凸部３０は、ベース１２と略同一の幅であって、ベース１２の幅方向に全域に亘って形成され、中間部２２の上部において綴じ片２４に向かって突出し、その先端が断面円弧状に形成されている。
【００３６】
綴じ片２４は、中空状、この実施の形態においては長手方向に中空部３２が穿設された筒状（角筒状）に形成される。中空部３２は、綴じ片２４をヒンジ部２６で折り曲げて起こしたとき、開口部２８に連通するように形成される。
綴じ片２４の一方面側（表面側）において、ヒンジ部２６に近い端部に、凸部３４が形成される。この凸部３４は、綴じ片２４のヒンジ部２６側端縁において綴じ片２４と同一の幅であって、綴じ片２４の幅方向に全域に亘って形成され、綴じ片２４の表面とは直角に交差する方向に向けて突出されている。そして、ヒンジ部２６で折り曲げて綴じ片２４をベース１２側に起こしたとき、ベース１２から突出する凸部３０と中間部２２との間に形成される凹部３０ａに嵌り込むように形成される。
【００３７】
綴じ片２４の先端側は、２叉状に形成され、その中央には、切込部３６が形成される。
切込部３６は、綴じ片２４の先端側から内側に向かって徐々に幅が狭くなるように形成され、ある程度幅が狭くなったところで同一幅となるように形成され、同一幅の切込部３６ａは、後記する保持具１５０の凹凸部６０が嵌挿する部位である（図２３参照）。
切込部３６が形成された部分の先端側において、綴じ片２４の幅が大きくなるように左右一対の幅広部３８が形成され、指で持ちやすくなっており、一対の幅広部３８は切込部３６側に向けて湾曲させることができるように形成されている。
幅広部３８は、綴じ片２４のベース１２側より幅広く形成されているために、長手方向における後端側、すなわち、ベース１２側に、段差部３８ａが形成されている。
また、幅広部３８の内側の近傍において、綴じ片２４の幅方向の両側に突出する係止部４０が形成される。
【００３８】
この綴じ具１００は、ベース１２と段差部１８と係止部２０と中間部２２と綴じ片２４とヒンジ部２６とが軟質合成樹脂で一体形成されている。
【００３９】
綴じ具１００は、図２６、図２７および図２８に示すような、長尺帯状の保持具１５０に保持される。保持具１５０は、長手方向を有する平面部５２と、平面部５２の幅方向の両側に突出形成される側面部５４とを含む。これらの一方の側面部５４と他方の側面部５４との間に、綴じ具１００が嵌め込まれて保持される。保持具１５０は、綴じ具１０の両端部に形成された幅広部３８の間を保持する長さに形成され、幅広部３８の段差部３８ａが保持具５０の両端部に位置するように形成される。
【００４０】
保持具１５０の平面部５２には、綴じ具１００の開口部２８に対応する位置に、開口部５８が形成される（図３１参照）。
さらに、平面部５２には、２つの開口部５８の両側であって開口部５８より外側に、鋸刃状の凹凸部６０が形成される（図３０参照）。
また、綴じ具１００の係止部２０に対応する位置において、保持具１５０の側面部５４であって開口部５８より内側において、係止部２０を嵌め込むための凹部６２が形成される（図３２参照）。この凹部６２に係止部２０を嵌め込むことにより、綴じ具１００が保持具１５０に固定される。
また、綴じ具１００の係止部４０に対応する位置において、保持具１５０の側面部５４であって開口部５８より外側において、係止部４０を嵌め込むための凹部６４が形成される。この凹部６４に係止部４０を嵌め込むことにより、綴じ片２４を倒した状態で保持することができる（図３５参照）。
【００４１】
この保持具１５０は、たとえば、書類等の被綴じ物Ａの綴じ量を調整することができるファイルに取り付けられる。ファイル７０は、図３８及び図３９に示すように、表紙７２と、被覆用表紙７４とを含む。表紙７２および被覆用表紙７４は、たとえば厚紙や合成樹脂などで形成されたシート材などを用いて形成される。表紙７２は、シート材を折り曲げて形成される。そして、表紙７２は、２つの平面部７２ａ，７２ｂを含み、その略中央部において平面部７２ａ，７２ｂの面上に突出する折り畳み部７２ｃが形成される。
【００４２】
また、被覆用表紙７４は、シート材を袋状にすることにより形成される。袋状の被覆用表紙７４の開口端部には、被覆用表紙７４の面に対して突出する鍔状部７４ａが形成される。この被覆用表紙７４には、表紙７２の一方の平面部７２ａが挿入される。このとき、鍔状部７４ａが表紙７２の折り畳み部７２ｃと同じ向きで対向するように配置される。したがって、表紙７２に対して被覆用表紙７４を、表紙７２及び被覆用表紙７４の幅方向にスライドさせることにより、鍔状部７４ａと折り畳み部７２ｃとの間の間隔を調整することができる。
【００４３】
表紙７２の折り畳み部７２ｃには、被綴じ物Ａの綴じ穴に対応する間隔をおいて、２本の綴じ足７６が形成され、２本の綴じ足７６は鍔状部７４ａに向かって延びるように取り付けられる。
綴じ足７６は、たとえば１本の柔軟性を有する合成樹脂製帯状物の両端側を、被綴じ物Ａの綴じ穴に対応する間隔をおいて折り畳み部７２ｃに形成された孔に通すことにより形成される。これらの綴じ足７６には、外面側にたとえば鋸刃状の凹凸部７６ａが形成される（図３９参照）。
【００４４】
また、被覆用表紙７４の鍔状部７４ａには、綴じ具１００と保持具１５０とが取り付けられる。この場合、鍔状部７４ａ上に保持具１５０が配置され、さらに保持具１５０に綴じ具１００が嵌め込まれる。このとき、綴じ具１００の係止部２０が保持具１５０の凹部６２に嵌り込んで、綴じ具１００が保持具１５０に保持される。
被覆用表紙７４の鍔状部７４ａに穿設された平面方形の貫通孔１７４ｃ間に保持具１５０の固定部１１６の押圧部１１６ｂを嵌め込み、押圧部１１６ｂの先端、すなわち、凸部１１６ｃ側に保持具１５０を移動させて、被覆用表紙７４の鍔状部７４ａを保持具１５０の平面部５２と押圧部１１６ｂとの間に挟持させる。凸部１１６ｃは、鍔状部７４ａに穿設された貫通孔１７４ｄに嵌合され、鍔状部７４ａに係止される。
このとき、綴じ具１００の開口部２８と保持具１５０の開口部５８とが連通するように配置される。
さらに、鍔状部７４ａには、開口部２８及び開口部５８に連通するようにして貫通孔７４ｂが形成される。なお、綴じ片２４が倒れた状態においては、綴じ片２４の係止部４０が保持具１５０の凹部６４に嵌り込んで固定される。
【００４５】
このファィル７０に書類を綴じるには、綴じ穴が形成された書類等の被綴じ物Ａが、表紙７２の折り畳み部７２ｃと被覆用表紙７４の鍔状部７４ａとの間に挟み込まれる。そして、折り畳み部７２ｃから延びる綴じ足７６が、被綴じ物Ａの綴じ穴に挿通される。さらに、この綴じ足７６は、鍔状部７４ａの貫通孔７４ｂから保持具１５０の開口部５８および綴じ具１００の開口部３４を通して、綴じ片２４の中空部３２に挿通される。このとき、綴じ片２４は、ベース１２に対して直交する状態、つまりベース１２に対して起きた状態になっている。
【００４６】
綴じ片２４が起きた状態のとき、図３９に示すように、綴じ片２４に形成された凸部３４が、ベース１２の端部に形成された凸部３０と中間部２２との間に形成される凹部３０ａに嵌り込む。これらの凸部３０，３４などによってストッパが形成され、綴じ片２４が起きた状態が保たれる。このとき、綴じ片２４の中空部３２は、開口部２８，５８に連通し、その他の隙間は形成されない。そのため、綴じ足７６を確実に綴じ片２４の中空部３２に通すことができる。さらに、綴じ片２４が起きた状態で保持されるため、綴じ足７６の挿通を容易に行うことができる。
【００４７】
この状態で、綴じ片２４を倒し、係止部４０が保持具１５０の凹部６４に嵌め込まれる。それによって、綴じ足７６の凹凸部７６ａが、保持具１５０の凹凸部６０（綴じ具１０の同一幅の切込部３６ａに嵌挿されている）に嵌り込んで、綴じ足７６の引き抜きが防止される。このようにして、被綴じ物Ａは綴じ込まれ、ファイル７０に保持される。
【００４８】
逆に、綴じた被綴じ物Ａを外したり、さらに被綴じ物Ａを追加するときには、綴じ片２４の幅広部３８を両側から手の指で挟むことにより、係止部４０を保持具５０の凹部６４から外して、綴じ片２４が起こされる。そして、表紙７２に対して被覆用表紙７４をスライドさせて引き抜くことにより、折り畳み部７２ｃと鍔状部７４ａとが離れて、綴じ足７６が綴じ片２４から引き抜かれる。
【００４９】
このとき、綴じ足７６は角筒状の綴じ片２４で摺動自在に覆われているため、綴じ足７６がベース１２に対して直交した状態が保持され、綴じ足７６が綴じ具１０に引っ掛かったりしない。そのため、綴じ足７６をスムーズに綴じ片２４から引き抜くことができる。また、表紙７２に対して被覆用表紙７４をスライドさせても、鍔状部７４ａが斜めに倒れたりせず、スムーズにスライドさせることができる。
【００５０】
なお、この発明に係る綴じ具１０において、必ずしも綴じ片２４が起きた状態を保つためのストッパを形成する必要はない。この場合、図４０（Ａ）（Ｂ）に示すように、ベース１２や綴じ片２４に凸部が形成されない。そのため、綴じ片２４が起きた状態で保持されないが、開口部２４と綴じ片２４の中空部３２が連通することにより、スムーズに綴じ足７６を挿通することができる。
【００５１】
また、図４１（Ａ）（Ｂ）に示すように、綴じ片２４の上面側にヒンジ部２６を形成してもよい。この場合、綴じ片２４が倒れているときに、ベース１２と綴じ片２４とが上面側で連なった形状となるため、見た目にもすっきりしたものとすることができる。なお、綴じ片２４を起こしたとき、保持具５０の開口部５８と綴じ片２４の中空部３２との連通部に他の隙間が形成されるため、綴じ足７６が隙間から出る可能性がある。そのため、ヒンジ部２６は、図２に示すように、ベース１２や綴じ片２４の下面側に形成されることが好ましい。
【００５２】
また、ベース１２や綴じ片２４の上面側にヒンジ部２６を形成する場合において、図４２に示すように、ヒンジ部２６の反対側において、ベース１２に凹部８０を形成し、綴じ片２４に凸部８２を形成してもよい。このような綴じ具１０では、綴じ片２４を倒したときに、凸部８２が凹部８０に嵌り込んで、ヒンジ部２６にかかる負担を小さくすることができる。
【００５３】
さらに、図４３に示すように、綴じ片２４を動作させるために、蝶番を用いてもよい。この場合、綴じ具２４部分には、ベース１２から延びるようにして、底面部８４ａと側面部８４ｂとが形成される。そして、対向する側面部８４ｂ間に軸８６が掛け渡され、この軸８６に綴じ片２４が支持される。この場合においても、綴じ片２４が起きた状態において、開口部２８と綴じ片２４の中空部３２とが連通するように形成される。
【００５４】
このような蝶番タイプの綴じ具１０において、図４４（Ａ）（Ｂ）に示すように、ベース１２から突出するようにバネ部材８８を形成し、綴じ片２４にバネ部材８８に引っ掛かる凸部９０を形成してもよい。これらのバネ部材８８と凸部９０とでストッパが形成され、綴じ片２４を起こしたときに、凸部９０がバネ部材８８に引っ掛かって、綴じ片２４が保持される。このようにバネ部材８８を形成することにより、簡単な操作で綴じ片２４を起きた状態で保持することができる。
【００５５】
さらに、図４５（Ａ）（Ｂ）に示すように、ベース１２から延びる側面部８４ｂに曲がった形状の凹部９２を形成し、断面が楕円形の軸９４を凹部９２に嵌め込んで綴じ片２４を支持してもよい。このような構造では、綴じ片２４を起こしたとき、綴じ片２４が倒れないように、断面楕円形の軸９４が凹部９２に嵌り込む。また、綴じ片２４を少し持ち上げて、軸９４を固定位置から外すことにより、綴じ片２４を倒すことができる。
【００５６】
また、図４６に示すように、側面部８４ｂから内側に突出する爪部９６を形成し、爪部９６で起こした綴じ片２４を保持するようにしてもよい。このような爪部９６によりストッパを形成すれば、確実に綴じ片２４が起きた状態を保持することができる。
【００５７】
前記した綴じ具１０，１００は、図４７ないし５４に示すように変形してもよい。
図４７は、この発明の綴じ具の一例を示す平面図である。また、図４８は、図４７に示す綴じ具のＭ−Ｍ断面図であり、図４９は、図４７に示す綴じ具を保持するための保持具の一例を示す平面図である。図５０は、図４９に示す保持具のＲ−Ｒ断面図である。図５１は、図４７に示す綴じ具を保持具に取り付けた状態を示す平面図解図でああり、図５２は、図４７に示す綴じ具を保持具に取り付けた状態を示す縦断面図解図であり、図５３は、図４７に示す綴じ具の綴じ片に綴じ足を挿通する状態を示す図解図であり、（Ａ）は綴じ片を倒した状態における図解図であり、（Ｂ）は綴じ片を直立した状態における図解図である。
この綴じ具２００は、前記図２１図示例と略同様の構成であるが、図４１（Ａ）（Ｂ）に示す形態と同様に、ヒンジ部の位置において相異する。
【００５８】
すなわち、この実施の形態のヒンジ部２２６は、綴じ片２４より中央寄りでベース１２に連設された中間部２２の上面側と綴じ片２４の上壁部２４ａとの間に形成されている。
そして、ヒンジ部２２６と、それに続く綴じ片２４の上壁部２４ａとは一体的に連結され、綴じ片２４の上壁部２４ａには下壁部２４ｂの近傍に穿設された開口部２８に続く開口部が形成されていない。そのために、綴じ片２４をベース１２に対して倒したとき、綴じ片２４の中空部３２と前記開口部２８との連通部に（下壁部２４ｂから上壁部２４ａに向かう垂直直進方向に）他の隙間が形成されないように構成している。
【００５９】
したがって、図５３（Ａ）に示すように、綴じ片２４が倒れた状態においては、綴じ足７６を開口部２８より綴じ片２４側に向けて挿通したとき、ヒンジ部２２６近傍の綴じ片２４の上壁部２４ａに突き当たる。そのために、綴じ具２００の利用者は、綴じ片２４を倒れた状態から直立状態またはそれに近い状態にした上で、綴じ足７６を中空部３２に挿通するように促される。綴じ足７６は、軟質材、例えば軟質プラスチックで形成されているので、綴じ片２４の上壁部２４ａの内側面上を滑り、中空部３２内に挿通される。
【００６０】
すなわち、この実施の形態は、前記図２７ないし図３９に示す実施の形態と略同様の構成を備えているが、次のように構成されている。
この綴じ具２００は、長手方向を有する長尺帯状の比較的柔軟性を有する合成樹脂製ベース１２を含む。ベース１２の一方面側（表面側）は平面状に形成され、他方面側（裏面側）にはベース１２の長手方向に沿って凹部１４が形成される。
さらに、開口部２８より内側であってベース１２の幅方向の両側には、４つの係止部２０が突出するように形成される。
【００６１】
前記係止部２０の外側であってベース１２の長手方向の両側には、ベース１２を構成する中間部２２を介して綴じ片２４が形成される。ベース１２と綴じ片２４との間（この実施の形態においては、ベース１２を構成する中間部２２の上部と綴じ片２４の上壁部２４ａとの間）には、縦断面Ｖ字状に凹んで折り曲げ可能な薄肉状のヒンジ部２２６が形成される。ヒンジ部２２６は、ベース１２と略同一の幅に形成されている。
【００６２】
さらに、ベース１２の下端部及び綴じ片２４の下壁部２４ｂとの間において、表面側から裏面側に亘って穿設された開口部２８が形成される。開口部２８から上壁部２４ａに向かう垂直直進方向は、上壁部２４ａによって塞がれており、開口部２８から挿通された綴じ足７６の先端は、上壁部２４ａに突き当たる。
【００６３】
綴じ片２４は、中空状、この実施の形態においては長手方向に中空部３２が穿設された筒状（角筒状）に形成される。中空部３２は、綴じ片２４をヒンジ部２２６で折り曲げて起こしたとき、開口部２８に連通するように形成される。
【００６４】
綴じ片２４の先端側は、２叉状に形成され、その中央には、切込部３６が形成される。
切込部３６は、綴じ片２４の先端側から内側に向かって徐々に幅が狭くなるように形成され、ある程度幅が狭くなったところで同一幅となるように形成され、同一幅の切込部３６ａは、後記する保持具１５０の凹凸部６０が嵌挿する部位である（図５１参照）。
切込部３６が形成された部分の先端側において、綴じ片２４の幅が大きくなるように左右一対の幅広部３８が形成され、指で持ちやすくなっており、一対の幅広部３８は切込部３６側に向けて湾曲させることができるように形成されている。
幅広部３８は、綴じ片２４のベース１２側より幅広く形成されているために、長手方向における後端側、すなわち、ベース１２側に、段差部３８ａが形成されている。
また、幅広部３８の内側の近傍において、綴じ片２４の幅方向の両側に突出する係止部４０が形成される。
【００６５】
この綴じ具２００は、ベース１２（係止部２０と中間部２２を含めて）と綴じ片２４とヒンジ部２２６とが軟質合成樹脂で一体形成されている。
【００６６】
綴じ具２００は、図４９および図５０に示すような、長尺帯状の保持具１５０に保持される。保持具１５０は、長手方向を有する平面部５２と、平面部５２の幅方向の両側に突出形成される側面部５４とを含む。これらの一方の側面部５４と他方の側面部５４との間に、綴じ具２００が嵌め込まれて保持される。保持具１５０は、綴じ具２００の両端部に形成された幅広部３８の間を保持する長さに形成され、幅広部３８の段差部３８ａが保持具５０の両端部に位置するように形成される。
【００６７】
保持具１５０の平面部５２には、綴じ具２００の開口部２８に対応する位置に、開口部５８が形成される（図５２参照）。
さらに、平面部５２には、２つの開口部５８の両側であって開口部５８より外側に、鋸刃状の凹凸部６０が形成される（図５０及び５２参照）。
また、綴じ具２００の係止部２０に対応する位置において、保持具１５０の側面部５４であって開口部５８より内側において、係止部２０を嵌め込むための凹部６２が形成される（図５１参照）。この凹部６２に係止部２０を嵌め込むことにより、綴じ具２００が保持具１５０に固定される。
また、綴じ具２００の係止部４０に対応する位置において、保持具１５０の側面部５４であって開口部５８より外側において、係止部４０を嵌め込むための凹部６４が形成される。この凹部６４に係止部４０を嵌め込むことにより、綴じ片２４を倒した状態で保持することができる（図４９及び５１参照）。
【００６８】
保持具１５０は、その平面部５２の裏面側に、弾力性を有する固定部１１６が凸設されている。
固定部１１６は、凹凸部６０が形成された位置の裏面側より突出された基部１１６ａと、該基部１１６ａよりベース１２の裏面に突出された平面長方形状の押圧部１１６ｂと、押圧部１１６ｂの先端において弾発力を増しファイル７０に係止されるように形成された凸部１１６ｃとが形成された略Ｌ字形である（図４９及び図５０参照）。
固定部１１６は、保持具１５０の平面部５２の裏面との間にファイル７０の表紙７２の厚みに相当する間隔を形成するための基部１１６ａにおいて固定されている。
そして、ファイル７０の表紙７２に穿設された孔１７４ｃに固定部１１６を嵌挿し、保持具１５０の平面部５２と固定部１１６との間に挟持させて、保持具１５０を固定する（図５３参照）。
【００６９】
また、この綴じ具２００は、保持具１５０に貫通孔５６が形成されていないことに対応し、前記綴じ具２００においてベース１２に形成されていた貫通孔１６及び段差部１８は形成されていないが、それ以外の構成は、既に前記した図１図示例とほぼ同様の構成である。
【００７０】
この保持具１５０は、たとえば、書類等の被綴じ物Ａの綴じ量を調整することができるファイルに取り付けられる。ファイル７０は、図５３及び図５４に示すように、表紙７２と、被覆用表紙７４とを含む。表紙７２および被覆用表紙７４は、たとえば厚紙や合成樹脂などで形成されたシート材などを用いて形成される。表紙７２は、シート材を折り曲げて形成される。そして、表紙７２は、２つの平面部７２ａ，７２ｂを含み、その略中央部において平面部７２ａ，７２ｂの面上に突出する折り畳み部７２ｃが形成される。
【００７１】
また、被覆用表紙７４は、シート材を袋状にすることにより形成される。袋状の被覆用表紙７４の開口端部には、被覆用表紙７４の面に対して突出する鍔状部７４ａが形成される。この被覆用表紙７４には、表紙７２の一方の平面部７２ａが挿入される。このとき、鍔状部７４ａが表紙７２の折り畳み部７２ｃと同じ向きで対向するように配置される。したがって、表紙７２に対して被覆用表紙７４を、表紙７２及び被覆用表紙７４の幅方向にスライドさせることにより、鍔状部７４ａと折り畳み部７２ｃとの間の間隔を調整することができる。
【００７２】
表紙７２の折り畳み部７２ｃには、被綴じ物Ａの綴じ穴に対応する間隔をおいて、２本の綴じ足７６が形成され、２本の綴じ足７６は鍔状部７４ａに向かって延びるように取り付けられる。
綴じ足７６は、たとえば１本の柔軟性を有する合成樹脂製帯状物の両端側を、被綴じ物Ａの綴じ穴に対応する間隔をおいて折り畳み部７２ｃに形成された孔に通すことにより形成される。これらの綴じ足７６には、外面側にたとえば鋸刃状の凹凸部７６ａが形成される（図５４参照）。
【００７３】
また、被覆用表紙７４の鍔状部７４ａには、綴じ具２００と保持具１５０とが取り付けられる。この場合、鍔状部７４ａ上に保持具１５０が配置され、さらに保持具１５０に綴じ具２００が嵌め込まれる。このとき、綴じ具２００の係止部２０が保持具１５０の凹部６２に嵌り込んで、綴じ具２００が保持具１５０に保持される。
被覆用表紙７４の鍔状部７４ａに穿設された平面方形の貫通孔１７４ｃ間に保持具１５０の固定部１１６の押圧部１１６ｂを嵌め込み、押圧部１１６ｂの先端、すなわち、凸部１１６ｃ側に保持具１５０を移動させて、被覆用表紙７４の鍔状部７４ａを保持具１５０の平面部５２と押圧部１１６ｂとの間に挟持させる。凸部１１６ｃは、鍔状部７４ａに穿設された貫通孔１７４ｄに嵌合され、鍔状部７４ａに係止される。
このとき、綴じ具２００の開口部２８と保持具１５０の開口部５８とが連通するように配置される。
さらに、鍔状部７４ａには、開口部２８及び開口部５８に連通するようにして貫通孔７４ｂが形成される。なお、綴じ片２４が倒れた状態においては、綴じ片２４の係止部４０が保持具１５０の凹部６４に嵌り込んで固定される。
【００７４】
このファィル７０に書類を綴じるには、綴じ穴が形成された書類等の被綴じ物Ａが、表紙７２の折り畳み部７２ｃと被覆用表紙７４の鍔状部７４ａとの間に挟み込まれる。そして、折り畳み部７２ｃから延びる綴じ足７６が、被綴じ物Ａの綴じ穴に挿通される。さらに、この綴じ足７６は、鍔状部７４ａの貫通孔７４ｂから保持具１５０の開口部５８および綴じ具２００の開口部３４を通して、綴じ片２４の中空部３２に挿通される。このとき、綴じ片２４は、ベース１２に対して直交する状態かそれに近い状態、つまりベース１２に対して起きた状態になっている。
【００７５】
この状態で、綴じ片２４を倒し、係止部４０が保持具１５０の凹部６４に嵌め込まれる。それによって、綴じ足７６の凹凸部７６ａが、保持具１５０の凹凸部６０（綴じ具２００の同一幅の切込部３６ａに嵌挿されている）に嵌り込んで、綴じ足７６の引き抜きが防止される。このようにして、被綴じ物Ａは綴じ込まれ、ファイル７０に保持される。
【００７６】
逆に、綴じた被綴じ物Ａを外したり、さらに被綴じ物Ａを追加するときには、綴じ片２４の幅広部３８を両側から手の指で挟むことにより、係止部４０を保持具５０の凹部６４から外して、綴じ片２４が起こされる。そして、表紙７２に対して被覆用表紙７４をスライドさせて引き抜くことにより、折り畳み部７２ｃと鍔状部７４ａとが離れて、綴じ足７６が綴じ片２４から引き抜かれる。
【００７７】
このとき、綴じ足７６は角筒状の綴じ片２４で摺動自在に覆われているため、綴じ足７６がベース１２に対して直交した状態が保持され、綴じ足７６が綴じ具１０に引っ掛かったりしない。そのため、綴じ足７６をスムーズに綴じ片２４から引き抜くことができる。また、表紙７２に対して被覆用表紙７４をスライドさせても、鍔状部７４ａが斜めに倒れたりせず、スムーズにスライドさせることができる。
【００７８】
このように、この綴じ具１０，１００，２００を用いれば、綴じ片２４を起こすことにより、綴じ足７６を容易に綴じ片２４の中空部３２に挿通することができる。また、綴じ足７６を綴じ片２４の中空部３２に通した状態で、綴じ具１０，１００，２００を移動させるとき、綴じ足７６が綴じ片２４で囲まれているため、綴じ足７６が綴じ片２４の一部に引っ掛かったりしない。そのため、綴じ具１０，１００，２００を容易に移動させることができ、書類の綴じ量を調整することができるファイルに用いれば、綴じ量の調整をスムーズに行うことができる。
【００７９】
【発明の効果】
この発明によれば、綴じ片の中空部に綴じ足を容易に挿入することができ、綴じ足を綴じ片に挿通した状態で綴じ具をスムーズに移動させることができる。そのため、綴じ具をファイルに取り付けることにより、書類の綴じ込みや、書類の綴じ込み量の変更などを容易に行うことができる。
このような綴じ具において、綴じ片が起きた状態で、開口部と綴じ片の中空部との連通部に他の隙間が形成されないようにすることにより、確実に綴じ足を綴じ片に挿入することができる。
また、綴じ片が起きた状態で保持するためのストッパを形成することにより、綴じ足の挿入や綴じ具の移動を容易に行うことができる。
さらにまた、綴じ片を前記ベースに対して倒したときに、前記綴じ片の中空部と前記ベースの開口部との連通部に他の隙間が形成されないようにすることにより、綴じ片が倒れた状態においては、綴じ足を開口部より挿入したとき、突き当たり、更に綴じ足を挿通することができないことを使用者に理解させ、使用者に綴じ片を直立させて綴じ片の中空部に綴じ足を挿通するように促すことができる。
【図面の簡単な説明】
【図１】この発明の綴じ具の一例を示す平面図である。
【図２】図１に示す綴じ具のＡ−Ａ断面図である。
【図３】図１に示す綴じ具を反対側からみた平面図である。
【図４】図１に示す綴じ具の側面図である。
【図５】図１に示す綴じ具のＢ−Ｂ断面図である。
【図６】図１に示す綴じ具のＣ−Ｃ断面図である。
【図７】図１に示す綴じ具のＤ−Ｄ断面図である。
【図８】図１に示す綴じ具のＥ−Ｅ断面図である。
【図９】図１に示す綴じ具のＦ−Ｆ断面図である。
【図１０】図１に示す綴じ具のＧ−Ｇ断面図である。
【図１１】図１に示す綴じ具を保持するための保持具の一例を示す平面図である。
【図１２】図１１に示す保持具のＬ−Ｌ断面図である。
【図１３】図１１に示す保持具を反対側からみた平面図である。
【図１４】図１１に示す保持具の側面図である。
【図１５】（Ａ）は、図１１に示す保持具のＨ−Ｈ断面図であり、（Ｂ）は、図１１に示す保持具のＩ−Ｉ断面図である。
【図１６】（Ａ）は、図１１に示す保持具のＪ−Ｊ断面図であり、（Ｂ）は、図１１に示す保持具のＫ−Ｋ断面図である。
【図１７】（Ａ）は、綴じ具を保持具に取り付けた状態を示す背面図解図であり、（Ｂ）は、綴じ具を保持具に取り付けた状態を示す断面図解図である。
【図１８】綴じ具を保持具に取り付けた状態を示す側面図解図である。
【図１９】図１に示す綴じ具をファイルに取り付けた状態を示す図解図である。
【図２０】図１９に示すファイルにおいて、綴じ片に綴じ足を挿通した状態を示す図解図である。
【図２１】この発明の綴じ具の一例を示す平面図である。
【図２２】図２１に示す綴じ具のＭ−Ｍ断面図である。
【図２３】図２１に示す綴じ具を反対側からみた平面図である。
【図２４】図２１に示す綴じ具の側面図である。
【図２５】図２１に示す綴じ具のＮ−Ｎ断面図である。
【図２６】図２１に示す綴じ具を保持するための保持具の一例を示す平面図である。
【図２７】図２６に示す保持具のＲ−Ｒ断面図である。
【図２８】図２６に示す保持具を反対側からみた平面図である。
【図２９】図２６に示す保持具の側面図である。
【図３０】図２６に示す保持具のＯ−Ｏ断面図である。
【図３１】図２６に示す保持具のＰ−Ｐ断面図である。
【図３２】図２６に示す保持具のＱ−Ｑ断面図である。
【図３３】図２１に示す綴じ具を保持具に取り付けた状態を示す平面図解図である。
【図３４】図２１に示す綴じ具を保持具に取り付けた状態を示す正面図解図である。
【図３５】図２１に示す綴じ具を保持具に取り付けた状態を示す背面図解図である。
【図３６】図２１に示す綴じ具を保持具に取り付けた状態を示す側面図解図である。
【図３７】図２１に示す綴じ具を保持具に取り付けた状態を示す縦断面図解図である。
【図３８】図２１に示す綴じ具をファイルに取り付けた状態を示す図解図である。
【図３９】図３８に示すファイルにおいて、綴じ片に綴じ足を挿通した状態を示す図解図である。
【図４０】（Ａ）はこの発明の綴じ具の他の例について綴じ片を倒した状態を示す図解図であり、（Ｂ）は綴じ片を起こした状態を示す図解図である。
【図４１】（Ａ）はこの発明の綴じ具のさらに他の例について綴じ片を倒した状態を示す図解図であり、（Ｂ）は綴じ片を起こした状態を示す図解図である。
【図４２】図４１に示す綴じ具の変形例を示す図解図である。
【図４３】この発明の綴じ具の別の例を示す図解図である。
【図４４】（Ａ）は図４３に示す綴じ具の変形例について綴じ片を起こした状態を示す図解図であり、（Ｂ）はその断面図解図である。
【図４５】（Ａ）は図４３に示す綴じ具の他の変形例について綴じ片を倒した状態を示す図解図であり、（Ｂ）は綴じ片を起こした状態を示す図解図である。
【図４６】図４３に示す綴じ具のさらに他の例を示す図解図である。
【図４７】この発明の綴じ具の一例を示す平面図である。
【図４８】図４７に示す綴じ具のＭ−Ｍ断面図である。
【図４９】図４７に示す綴じ具を保持するための保持具の一例を示す平面図である。
【図５０】図４９に示す保持具のＲ−Ｒ断面図である。
【図５１】図４７に示す綴じ具を保持具に取り付けた状態を示す平面図解図である。
【図５２】図４７に示す綴じ具を保持具に取り付けた状態を示す縦断面図解図である。
【図５３】図４７に示す綴じ具の綴じ片に綴じ足を挿通する状態を示す図解図であり、（Ａ）は綴じ片を倒した状態における図解図であり、（Ｂ）は綴じ片を直立した状態における図解図である。
【図５４】図４７に示す綴じ具をファイルに取り付けた状態を示す図解図である。
【図５５】従来の綴じ具を用いた書類の綴じ量を調整できるファイルを示す図解図である。
【図５６】従来の綴じ具を用いたファイルの一例を示す図解図である。
【符号の説明】
１，１０，１００，２００  綴じ具
２  綴じ具本体
３  操作片
４  開口部
５  ファイル
６ａ  表紙
６ｂ  折り畳み部
７  綴じ足
８ａ  被覆用表紙
８ｂ  鍔状部
１２  ベース
１４  凹部
１６  貫通孔
１８  段差部
２０  係止部
２２  中間部
２４  綴じ片
２４ａ  上壁部
２４ｂ  下壁部
２６，２２６  ヒンジ部
２８  開口部
３０  凸部
３０ａ  凹部
３２  中空部
３４  凸部
３６  切込部
３６ａ  同一幅の切込部
３８  幅広部
３８ａ  段差部
４０  係止部
５０，１５０  保持具
５２  平面部
５４  側面部
５６  貫通孔
５８  開口部
６０  凹凸部
６２  凹部
６４  凹部
７０  ファイル
７２  表紙
７２ａ，７２ｂ  平面部
７２ｃ  折り畳み部
７４  被覆用表紙
７４ａ  鍔状部
７４ｂ，７４ｃ  貫通孔
７６  綴じ足
７６ａ  凹凸部
８０  凹部
８２  凸部
８４ａ  底面部
８４ｂ  側面部
８６  軸
８８  バネ部材
９０  凸部
９２  凹部
９４  軸
１１６  固定部
１１６ａ  基部
１１６ｂ  押圧部
１１６ｃ  凸部
１７４ｃ，１７４ｄ  ファイルの表紙に穿設された貫通孔
Ａ  被綴じ物
【図１】
2005022349.tif 000003
【図２】
2005022349.tif 000004
【図３】
2005022349.tif 000005
【図４】
2005022349.tif 000006
【図５】
2005022349.tif 000007
【図６】
2005022349.tif 000008
【図７】
2005022349.tif 000009
【図８】
2005022349.tif 000010
【図９】
2005022349.tif 000011
【図１０】
2005022349.tif 000012
【図１１】
2005022349.tif 000013
【図１２】
2005022349.tif 000014
【図１３】
2005022349.tif 000015
【図１４】
2005022349.tif 000016
【図１５】
2005022349.tif 000017
【図１６】
2005022349.tif 000018
【図１７】
2005022349.tif 000019
【図１８】
2005022349.tif 000020
【図１９】
2005022349.tif 000021
【図２０】
2005022349.tif 000022
【図２１】
2005022349.tif 000023
【図２２】
2005022349.tif 000024
【図２３】
2005022349.tif 000025
【図２４】
2005022349.tif 000026
【図２５】
2005022349.tif 000027
【図２６】
2005022349.tif 000028
【図２７】
2005022349.tif 000029
【図２８】
2005022349.tif 000030
【図２９】
2005022349.tif 000031
【図３０】
2005022349.tif 000032
【図３１】
2005022349.tif 000033
【図３２】
2005022349.tif 000034
【図３３】
2005022349.tif 000035
【図３４】
2005022349.tif 000036
【図３５】
2005022349.tif 000037
【図３６】
2005022349.tif 000038
【図３７】
2005022349.tif 000039
【図３８】
2005022349.tif 000040
【図３９】
2005022349.tif 000041
【図４０】
2005022349.tif 000042
【図４１】
2005022349.tif 000043
【図４２】
2005022349.tif 000044
【図４３】
2005022349.tif 000045
【図４４】
2005022349.tif 000046
【図４５】
2005022349.tif 000047
【図４６】
2005022349.tif 000048
【図４７】
2005022349.tif 000049
【図４８】
2005022349.tif 000050
【図４９】
2005022349.tif 000051
【図５０】
2005022349.tif 000052
【図５１】
2005022349.tif 000053
【図５２】
2005022349.tif 000054
【図５３】
2005022349.tif 000055
【図５４】
2005022349.tif 000056
【図５５】
2005022349.tif 000057
【図５６】
2005022349.tif 000058